(57)【要約】    【構成】  音声メモシステム１０はサーバ１２を含み、サーバ１２にはネットワーク１４を介して複数のアクセスポイント１６が接続される。ユーザは、ボイスレコーダ１８を用いて音声メモを録音する。このとき、ボイスレコーダ１８は、通信可能なアクセスポイント１６の識別情報を検出するとともに、時計回路から時間情報を取得する。ボイスレコーダ１８は、音声メモに時間情報および識別情報を付加した送信データを無線通信により、サーバ１２に送信する。アクセスポイント１６の識別情報に対応する場所情報は予めサーバ１２に登録されており、したがって、音声メモを再生するとき、ユーザは音声メモに付加された時間情報および場所情報を参照して、所望の音声メモを選択する。    【効果】  時間のみならず場所に基づいて所望の音声メモを簡単に参照することができる。【選択図】  図１
2006211562.tif 000002
【特許請求の範囲】
【請求項１】
１または２以上のユーザのそれぞれが所持するボイスレコーダと、このボイスレコーダとの間で通信可能に設けられる音声メモ管理装置とを備える音声メモシステムであって、
前記ボイスレコーダは、
ユーザの音声データを記録する音声データ記録手段、
少なくとも前記音声メモ管理装置と間で通信する通信手段、
位置情報を取得する位置情報取得手段、および
少なくとも、前記音声記録手段によって記録された音声データと前記位置情報取得手段によって取得された位置情報とを含む送信データを、前記通信手段を用いて前記音声メモ管理装置に送信する音声メモ送信手段を備え、
前記音声メモ管理装置は、
前記音声メモ送信手段によって送信された送信データを受信する音声メモ受信手段、
前記送信データに基づいて少なくとも前記位置情報を含む音声プロファイル情報を作成する音声プロファイル情報作成手段、および
前記音声メモ受信手段によって受信された送信データに含まれる音声データと、前記音声プロファイル情報作成手段によって作成された前記音声プロファイル情報とを関連付けて記憶する音声メモ記憶手段を備える、音声メモシステム。
【請求項２】
前記ボイスレコーダは、
タイマ、および
前記音声記録手段によって音声データが記録されるときの時間情報を前記タイマから取得する時間情報取得手段をさらに備え、
前記送信データは前記時間情報取得手段によって取得された時間情報を含み、
前記音声プロファイル作成手段は、前記時間情報をさらに含む音声プロファイル情報を作成する、請求項１記載の音声メモシステム。
【請求項３】
前記ボイスレコーダは、
前記音声データの参照権限情報を設定する参照権限設定手段をさらに備え、
前記送信データは前記参照権限設定手段によって設定された参照権限情報を含み、
前記音声プロファイル作成手段は、前記参照権限情報をさらに含む音声プロファイル情報を作成する、請求項１または２記載の音声メモシステム。
【発明の詳細な説明】
【技術分野】
【０００１】
この発明は音声メモシステムに関し、特にたとえば、ボイスレコーダを所持するユーザの音声メモを音声メモ管理装置に送信して記録する、音声メモシステムに関する。
【背景技術】
【０００２】
背景技術の一例が特許文献１に開示される。この特許文献１のボイスメモ機能付き携帯情報端末では、通話の相手方の電話番号、通話開始時刻などの通話情報と録音したボイスメモとを対応付けて記憶しておくことにより、ボイスメモを再生するときに、通話ログとして記憶しておいた通話情報に基づいて所望のボイスメモを容易に再生するものである。
【０００３】
また、背景技術の他の例が特許文献２に開示される。この特許文献２のメモ情報の管理方式では、個人的な利用のために登録されたメモ情報については、登録者本人にしか参照できないようにし、共通的に登録されたメモ情報については、それを記憶するＤＢの参照が許された利用者全員が任意に参照できるようにしてある。
【特許文献１】特開平９−２５２３７２号
【特許文献２】特開平５−２６５８３４号
【発明の開示】
【発明が解決しようとする課題】
【０００４】
しかし、特許文献１に開示される技術では、実際、ボイスメモの選択に用いるキーは、通話の相手方の電話番号および通話開始時刻のみであり、ボイスメモが多数存在する場合には、所望のボイスメモを選択するのは困難である。つまり、所望のボイスメモを容易に再生できるとは言えない。また、この特許文献１では、携帯情報端末の使用者のみが音声メモを参照することができ、音声メモを共有したい場合には、別途通話（通信）することにより、他者に連絡する必要がある。
【０００５】
これに対して、特許文献２のメモ情報の管理方式では、個人的に管理したいメモ情報と、利用者全員が自由に参照できるメモ情報とを別々に記録するようにしているため、特許文献１の技術のように、共有したい音声メモを別途他者に連絡する必要はない。しかし、このメモ情報の管理方式では、管理するメモ情報はいずれも固定的に設置される端末から入力されるものであり、メモ情報を入力する場所が制限されてしまう。
【０００６】
それゆえに、この発明の主たる目的は、新規な、音声メモシステムを提供することである。
【０００７】
この発明の他の目的は、音声メモの入力場所を制限されることなく、所望の音声メモを簡単に参照できる、音声メモシステムを提供することである。
【課題を解決するための手段】
【０００８】
請求項１の発明は、１または２以上のユーザのそれぞれが所持するボイスレコーダと、このボイスレコーダとの間で通信可能に設けられる音声メモ管理装置とを備える音声メモシステムであって、ボイスレコーダは、ユーザの音声を記録する音声記録手段、少なくとも音声メモ管理装置と間で通信する通信手段、位置情報を取得する位置情報取得手段、および少なくとも、音声記録手段によって記録された音声と位置情報取得手段によって取得された位置情報とを含む送信データを、通信手段を用いて音声メモ管理装置に送信する音声メモ送信手段を備え、音声メモ管理装置は、音声メモ送信手段によって送信された送信データを受信する音声メモ受信手段、送信データに基づいて少なくとも位置情報を含む音声プロファイル情報を作成する音声プロファイル情報作成手段、および音声メモ受信手段によって受信された送信データに含まれる音声データと、音声プロファイル情報作成手段によって作成された音声プロファイル情報と関連付けてを記憶する音声メモ記憶手段を備える、音声メモシステムである。
【０００９】
請求項１の発明では、音声メモシステムは、ボイスレコーダと音声メモ管理装置とを備える。ボイスレコーダは、１または２以上のユーザのそれぞれが所持する。音声メモ管理装置は、ボイスレコーダとの間で通信可能に設けられる。ボイスレコーダは、音声記録手段、通信手段、位置情報取得手段、音声メモ送信手段を備える。音声記録手段は、ユーザの音声を記録する。通信手段は、少なくとも音声メモ管理装置との間で通信する。位置情報取得手段は、ボイスレコーダ（またはユーザ）の位置情報を取得する。音声メモ送信手段は、少なくとも記録された音声と取得された位置情報とを含む送信データを、音声メモ管理装置に送信する。一方、音声メモ管理装置は、音声メモ受信手段、音声プロファイル情報作成手段および音声メモ記憶手段を備える。音声メモ受信手段は、音声メモ送信手段によって送信された送信データを受信する。音声プロファイル情報作成手段は、送信データに基づいて少なくとも位置情報を含む音声プロファイル情報を作成する。音声メモ記憶手段は、音声メモと音声プロファイル情報とを関連付けて記憶する。
【００１０】
請求項１の発明によれば、音声データに関連付けて記憶される音声プロファイル情報にはその音声データを記録したときの位置情報が含まれるため、音声データを再生するときに、音声プロファイルの情報を呈示すれば、ユーザは所望の音声データを容易に選択することができる。
【００１１】
請求項２の発明は請求項１に従属し、ボイスレコーダは、タイマ、および音声記録手段によって音声データが記録されるときの時間情報をタイマから取得する時間情報取得手段をさらに備え、送信データは時間情報取得手段によって取得された時間情報を含み、音声プロファイル作成手段は、時間情報をさらに含む音声プロファイル情報を作成する。
【００１２】
請求項２の発明では、ボイスレコーダはタイマを備えており、時間情報取得手段は、音声データを記録したときの時間情報をタイマから取得する。送信データには、この時間情報も含まれる。したがって、音声プロファイル作成手段は、位置情報および時間情報を含む音声プロファイル情報を作成する。
【００１３】
請求項２の発明では、位置情報のみならず時間情報も含まれるので、所望の音声データを選択するのがさらに簡単である。
【００１４】
請求項３の発明は請求項１または２に従属し、ボイスレコーダは、音声データの参照権限情報を設定する参照権限設定手段をさらに備え、送信データは参照権限設定手段によって設定された参照権限情報を含み、音声プロファイル作成手段は、参照権限情報をさらに含む音声プロファイル情報を作成する。
【００１５】
請求項３の発明では、ボイスレコーダは、参照権限設定手段をさらに備える。参照権限設定手段は、音声データの参照権限情報を設定する。たとえば、音声データの参照権限を、当該音声データを入力した人物のみに与えたり、或るグループに対してのみ与えたり、全員に与えたりする。音声プロファイル作成手段は、参照権限情報を含むポロファイル情報を作成する。したがって、音声データの参照を要求してきたユーザや当該ユーザが使用する機器（ボイスレコーダやコンピュータ）に応じて参照権限を検出し、検出結果に応じて、参照（再生）可能な音声データのみを呈示する。
【００１６】
請求項３によれば、音声データの参照権限を設定するので、プライバシを侵害されることなく、音声データを個人的に利用したり、一定の集団で共用したりすることができる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の音声メモシステム（以下、単に「システム」という。）１０は、音声メモ管理装置として機能するサーバ１２を含む。サーバ１２は、ＬＡＮのようなネットワーク１４を介して複数の基地局（アクセスポイント）１６に接続される。図示は省略するが、この実施例では、各アクセスポイント１６は、或る建物内の任意の場所（会議室、応接室、廊下、階段、トイレなど）に、一定間隔（たとえば、１０ｍ）で設けられる。また、システム１０は複数のボイスレコーダ１８を含み、アクセスポイント１６およびネットワーク１４を介してサーバ１２と通信可能である。
【００１９】
なお、図１では、簡単のため、３台のボイスレコーダ１８を示してあるが、ボイスレコーダ１８は、少なくとも、音声メモを記録するユーザ（使用者）の人数に応じた数だけ設けられる。
【００２０】
サーバ１２としては、汎用のサーバを用いることができ、その内部メモリ１２ａには、図２に示す、音声プロファイルデータ１２０、ユーザデータ１２２および場所データ１２４が記憶される。図示は省略するが、内部メモリ１２ａには、音声データ（音声メモのデータ）も記憶される。ここで、内部メモリ１２ａとしては、ハードディスクを用いることができる。ただし、データ１２０，１２２および１２４は、内部メモリ１２ａに記憶する必要はなく、サーバ１２に直接またはネットワーク１４等を介して間接的に接続されるデータベースに記憶するようにしてもよい。
【００２１】
図２（Ａ）に示すように、音声プロファイルデータ１２０は、音声メモ（音声ファイル）に関する情報、この実施例では、日時、人物ＩＤ、場所ＩＤ、ファイル名、キーワードおよびプライバシレベルについのデータである。この音声プロファイルデータ１２０は、ボイスレコーダ１８から入力される音声メモに基づいて、サーバ１２によって作成される。
【００２２】
日時は、音声メモを記録した日時であり、数値データが入力される。人物ＩＤは、音声メモを入力した人物の識別情報（この実施例では、識別番号）である。場所ＩＤは、音声メモを入力した場所（厳密には、音声メモを入力した際に、ボイスレコーダ１８の通信可能範囲に存在したアクセスポイント１６の配置位置）の識別情報（この実施例では、別文字ないし識別記号）である。ファイル名は、音声メモのデータ（ファイル）のファイル名であり、英数文字で記述される。
【００２３】
キーワードは、音声メモに音声認識処理等を施すことにより、抽出したキーワードについてのデータ（キャラクタデータ）である。簡単に説明すると、サーバ１２は、音声認識のための辞書データ（図示せず）をたとえば内部メモリ１２ａに記憶しており、ボイスレコーダ１８から入力された音声メモをＤＰマッチングやＨＭＭ（隠れマルコフモデル）の方法により音声認識する。次に、サーバ１２は、音声認識処理を実行すると、認識した音声メモを形態素解析する。つまり、名詞、動詞、副詞、助詞等に分割する。そして、名詞、動詞、副詞をキーワードとして抽出し、記録する。
【００２４】
なお、音声認識のための辞書データは、音声メモを入力する人物の各々について用意し、入力された音声メモ毎に辞書データを使い分ければ、より正確な音声認識が可能である。
【００２５】
プライバシレベルは、音声メモを参照する権限を決定するためのデータであり、音声メモを入力する際に指定（設定）される。この実施例では、図２（Ａ）に示すように、３段階（種類）のプライバシレベルの設定が可能である。１つ目は、サーバ１２にアクセス可能な人物が誰でも参照できるレベル（この実施例では、「公開」）である。２つ目は、サーバ１２にアクセス可能であり、特定のグループに所属する人物が参照できるレベル（この実施例では、「グループ」）である。ただし、図示は省略するが、プライバシレベルが「グループ」である場合には、さらにグループの別も設定される。３つ目は、サーバ１２にアクセス可能であり、当該音声メモを入力した人物のみが参照できるレベル（この実施例では、「個人」）である。
【００２６】
ただし、プライバシレベルの設定は、これに限定される必要はない。少なくとも、個人的な音声メモを他人が勝手に参照できないようにしておけば、レベルの段階（種類）は任意に設定することができる。たとえば、性別で分けたり、年齢層で分けたりすることも可能である。
【００２７】
また、図２（Ｂ）に示すように、ユーザデータ１２２は、各ユーザ（ボイスレコーダ１８）に関する情報、この実施例では、ボイスレコーダの識別情報、人物ＩＤ、人物の名称および人物が所属するグループについてのデータである。
【００２８】
レコーダＩＤは、ボイスレコーダ１８のそれぞれを識別するための識別情報であり、図２（Ｂ）では、ボイスレコーダ１８に割り当てられた番号で示してある。ただし、実際には、ボイスレコーダ１８に設けられる無線装置５４（図３）が有する固有の番号（たとえば、ＭＡＣアドレス）が記述される。
【００２９】
人物ＩＤは、ボイスレコーダ１８を使用する人物（ユーザ）を特定するための識別情報（識別番号ないし識別記号）であり、これに対応して、ユーザの名称が記述される。図面においては、簡単のため、苗字のみを示してあるが、名前も記述するようにしてもよい。グループは、当該ユーザが所属するグループを識別するための番号が記述される。ただし、このグループは、プライバシレベルについてのグループであり、必ずしも組織におけるグループと一致させる必要はない。
【００３０】
図２（Ｃ）に示すように、場所データ１２４は、音声メモを入力した場所ないし位置についての情報、この実施例では、場所ＩＤおよび当該場所を示す名称についてのデータである。ただし、厳密には、場所データ１２４は、音声メモを入力したときに、ボイスレコーダ１８と通信可能な範囲に存在したアクセスポイント１６の配置位置についてのデータである。
【００３１】
場所ＩＤは、場所に割り当てられた識別情報（識別番号ないし識別記号）であり、これに対応して、場所を示す名称が記述される。場所ＩＤは、図２（Ｃ）では、簡単のため、アルファベットで示してあるが、実際には、この実施例では、各アクセスポイント１６を識別するためのＥＳＳ−ＩＤ（Extended Service Set-Identifier）である。周知のとおり、ＥＳＳ−ＩＤは、アクセスポイント１６が一定時間毎に送信するビーコン電波に含まれる。また、図面においては、簡単のため、場所を示す名称として、「応接室」、「トイレ」、「会議室」などを記載してあるが、これらの場所は同じ建物内に複数存在するため、実際には、各々を区別することができる名称が付されている。さらに、名称として、「不明」と記述してあるのは、音声メモを入力した際に、ボイスレコーダ１８がアクセスポイント１６と通信可能な位置に存在していなかったことを示す。たとえば、ユーザが建物外に出ていたり、無線通信が禁止されている区域に存在していたりした場合などが考えられる。かかる場合には、ＥＳＳ−ＩＤが得られないため、図２（Ｃ）に示すとおり、アルファベット（ここでは、「Ｚ」）のような記号で、場所ＩＤは示される。
【００３２】
図３はボイスレコーダ１８の電気的な構成を示すブロック図である。この図３を参照して、ボイスレコーダ１８は、ＣＰＵ３０を含み、ＣＰＵ３０にはメモリ３２、Ａ／Ｄ変換器３４、Ｄ／Ａ変換器３６、ＬＣＤドライバ３８、時計回路４０および入出力インターフェイス（Ｉ／Ｆ）４２が接続される。
【００３３】
メモリ３２は、たとえばＲＡＭであり、ユーザが入力する音声に対応する音声データや再生する音声データを記憶（一時記憶）するための記憶領域を有する。また、メモリ３２は、ＣＰＵ３０のバッファ領域ないし作業領域としても用いられる。上述したように、ボイスレコーダ１８に固有の番号を割り当てる場合には、その番号（識別情報）は書き換え不能にしてメモリ３２に記憶することができる。ただし、ＲＯＭ等の書き換え不能なメモリを別途設けて、ボイスレコーダ１８の識別情報を記憶するようにしてもよい。
【００３４】
Ａ／Ｄ変換器３４には、アンプ４４を介してマイク４６が接続され、マイク４６を通して入力された音声信号がアンプ４４で増幅され、増幅された音声信号がＡ／Ｄ変換器３４で音声データに変換され、ＣＰＵ３０に与えられる。ＣＰＵ３０は、音声データをメモリ３２に記憶する。
【００３５】
Ｄ／Ａ変換器３６には、アンプ４８を介してスピーカ５０が接続され、ＣＰＵ３０の指示に従って再生された音声データがＤ／Ａ変換器３６で音声信号に変換され、アンプ４８で増幅された後に、スピーカ５０から出力される。
【００３６】
ＬＣＤドライバ３８には、ＬＣＤ５２が接続され、ＣＰＵ３０の指示の下、ＬＣＤドライバ３８はＬＣＤ５２に操作画面などの画面を表示する。なお、ＬＣＤドライバ３８は、ＣＰＵ３０がメモリ３２を用いて生成した画像データを受けて、ＬＣＤ５２に出力する。
【００３７】
時計回路４０は、日時（この実施例では、西暦および時間）を計時するためのタイマであり、ＣＰＵ３０から日時取得要求を受けて、計時した日時をＣＰＵ３０に通知する。主として、時計回路４０で計時された日時は、音声メモを入力したとき（たとえば、記録開始時または記録終了時）に取得される。
【００３８】
Ｉ／Ｆ４２には、無線装置５４および操作パネル５６が接続される。この実施例では、無線装置５４は、代表的には、無線ＬＡＮアダプタである。したがって、ボイスレコーダ１８は、この無線装置５４を用いて、アクセスポイント１６に無線接続し、ネットワーク１４を介してサーバ１２と通信することができる。したがって、ユーザの指示に従って音声メモ（音声データ）および当該音声メモに関する属性情報（日時データおよび場所ＩＤ）を送信したり、ユーザの指示に従って、再生リストのデータや音声メモを受信したりすることができる。
【００３９】
操作パネル５６には、操作ボタン５６ａ、５６ｂ、５６ｃおよび５６ｄが設けられる。操作ボタン５６ａは、録音ボタンであり、音声メモの記録を開始するために操作される。操作ボタン５６ｂは、再生ボタンであり、音声メモの再生を指示するために操作される。厳密には、後述するように、再生ボタン５６ｂは、サーバ１２に音声メモの再生要求を送信するために操作される。操作ボタン５６ｃは、停止ボタンであり、音声メモの記録／再生を停止（または一時停止）するために操作される。操作ボタン５６ｄは、カーソルボタンであり、記録した音声メモのプライバシレベルの選択や再生リストに表示された音声メモの選択などのために操作される。操作ボタン５６ａ−５６ｄの操作信号（操作データ）はＩ／Ｆ回路４２を介してＣＰＵ３０に与えられ、したがって、ユーザの指示に従ってＣＰＵ３０は処理を実行する。
【００４０】
たとえば、音声メモを記録する場合には、ユーザは、操作ボタン５６ａすなわち録音ボタンを操作する。すると、図４に示すように、ボイスレコーダ１８のＣＰＵ３０は録音処理を開始し、ステップＳ１で、音声を録音（記録）する。具体的には、ユーザが、所望の内容を、マイク４６を通して入力すると、マイク４６から入力された音声信号は、増幅およびディジタル変換され、ＣＰＵ３０は、音声データをメモリ３２に記憶する。
【００４１】
続くステップＳ３では、音声メモの録音（記録）終了かどうかを判断する。具体的には、ユーザが停止ボタン５６ｃを操作したかどうかを判断する。停止ボタン５６ｃが操作されていなければ、録音終了でないと判断して、ステップＳ３で“ＮＯ”となり、そのままステップＳ１に戻って、音声メモの録音を継続する。一方、停止ボタン５６ｃが操作されれば、録音終了であると判断して、ステップＳ３で“ＹＥＳ”となり、ステップＳ５で、時間情報を付加する。つまり、ＣＰＵ３０は、時計回路４０から日時情報を取得し、音声メモに関連付けてメモリ３２に記憶する。
【００４２】
なお、この実施例では、音声メモの録音が終了したときに、時間情報を取得するようにしてあるが、ボイルメモの録音を開始するときに、時間情報を取得しておくようにしてもよい。
【００４３】
次に、ステップＳ７では、プライバシレベルの設定するための選択画面（図示せず）を表示する。ただし、プライバシレベルの設定画面の表示に加えて、プライバシレベルを設定すべき旨を、音や振動或いはそれらの両方でユーザに報知するようにしてもよい。したがって、ユーザは入力（録音）した音声メモのプライバシレベルを、カーソルボタン５６ｄにより選択して、たとえば、停止ボタン５６ｃにより設定（決定）することができる。ただし、何ら操作しない場合には、デフォルト値（たとえば、「個人」）が設定される。
【００４４】
ステップＳ９では、プライバシレベルが設定されたかどうかを判断する。ステップＳ９で“ＹＥＳ”であれば、つまりプライバシレベルが設定されれば、ステップＳ１１で、プライバシレベルを設定した値（設定値）に設定して、図５に示すステップＳ１７に進む。一方、ステップＳ９で“ＮＯ”であれば、つまりプライバシレベルが設定されなければ、ステップＳ１３で、一定時間（たとえば、１０秒）が経過したかどうかを判断する。なお、一定時間は、プライバシレベルの設定指示を通知してからＣＰＵ３０によってカウントされる。一定時間が経過していなければ、ステップＳ１３で“ＮＯ”となり、そのままステップＳ７に戻って、プライバシレベルの設定を待機する。しかし、一定時間が経過していれば、ステップＳ１３で“ＹＥＳ”となり、ステップＳ１５で、プライバシレベルをデフォルト値に設定して、ステップＳ１７に進む。
【００４５】
つまり、ステップＳ１１またはＳ１５の処理によって、プライバシレベル（この実施例では、公開、グループ、個人）の別を示す情報（プライバシレベル情報）が音声メモに関連付けてメモリ３２に記憶されるのである。
【００４６】
図５に示すように、ステップＳ１７では、無線圏内かどうかを判断する。つまり、ＣＰＵ３０は、無線装置５４によって、いずれかのアクセスポイント１６から送信されるビーコン電波を受信したかどうかを判断する。ステップＳ１７で“ＮＯ”であれば、つまり無線圏内でなければ、ステップＳ１９で、位置情報（場所ＩＤ）の無い音声データ（位置情報無し音声データ）を一時保存データとしてメモリ３２の記録領域に記憶して、録音処理を終了する。
【００４７】
一方、ステップＳ１７で“ＹＥＳ”であれば、つまり無線圏内であれば、ステップＳ２１で、位置情報を付加する。つまり、ＣＰＵ３０は、ビーコン電波に含まれるＥＳＳ−ＩＤすなわち場所ＩＤを取得し、音声メモに関連付けてメモリ３２に記憶する。続くステップＳ２３では、位置情報の有る音声データ（位置情報付音声データ）にレコーダＩＤを付加して、サーバ１２に送信する。つまり、ＣＰＵ３０は、メモリ３２に記憶した音声メモ（音声データ）およびこれに関連するプライバシレベル情報と時間情報と場所ＩＤとに、ボイスレコーダ１８の識別情報（レコーダＩＤ）を付加した送信データを、無線装置５４を用いてサーバ１２に送信する。
【００４８】
続くステップＳ２５では、一時保存データがあるかどうかを判断する。ステップＳ２５で“ＮＯ”であれば、つまり一時保存データがなければ、そのまま録音処理を終了する。一方、ステップＳ２５で“ＹＥＳ”であれば、つまり一時保存データがあれば、ステップＳ２７で、一時保存データにレコーダＩＤを付加して、サーバ１２に送信して、録音処理を終了する。つまり、ＣＰＵ３０は、メモリ３２に記憶しておいた音声データおよびこれに関連するプライバシレベル情報と時間情報とに、レコーダＩＤを付加した送信データを、無線装置５４を用いてサーバ１２に送信する。
【００４９】
なお、この実施例では、音声メモを録音したときに、無線圏内かどうかを判断して、一時保存データを送信するようにしてあるが、録音処理とは別に、一時保存データの送信処理を実行するようにしてもよい。図示は省略するが、一時保存データの送信処理では、一定時間毎に、無線圏内か否かを判断して、無線圏内であれば、一時保存データにレコーダＩＤを付加して、サーバ１２に送信するようにすればよい。
【００５０】
サーバ１２は、送信データを受信すると、図２（Ａ）に示した音声プロファイルデータ１２０を更新するべく、図６に示すデータ保存処理を実行する。図６を参照して、サーバ１２はデータ保存処理を開始すると、ステップＳ３１で、図２（Ａ）に示したような音声プロファイルデータ１２０を作成する。つまり、サーバ１２は、送信データに含まれる場所ＩＤ、日時情報およびプライバシレベル情報を、音声プロファイルデータ１２０にそのまま記述する。ただし、サーバ１２は、送信データに場所ＩＤが含まれない場合には、場所ＩＤとして「Ｚ」を記述する。また、サーバ１２は、ユーザデータ１２２を参照して、送信データに含まれるレコーダＩＤに対応する人物ＩＤを検出し、検出した人物ＩＤを音声プロファイルデータ１２０に記述する。続くステップＳ３３では、送信データに含まれる音声データのファイル名を音声プロファイルデータ１２０に記述し、当該音声データを音声プロファイルデータ１２０とは別に内部メモリ１２ａに記憶する。続いて、ステップＳ３５で、音声認識によりキーワードを抽出し、音声プロファイルデータ１２０に追加して、データ保存処理を終了する。つまり、サーバ１２は、内部メモリ１２ａに記憶した音声データを音声認識し、上述したように、キーワードを抽出（検出）する。そして、サーバ１２は、検出したキーワードを、音声プロファイルデータ１２０に記述する。
【００５１】
また、音声メモを再生する場合には、サーバ１２とボイスレコーダ１８（ＣＰＵ３０）とが図７に示すような再生処理を実行する。図７を参照して、再生処理を開始すると、ステップＳ４１で、サーバ１２に再生リストの送信要求を送信する。つまり、図３では、省略したが、ユーザが再生リストの送信要求を指示する操作ボタンを操作すると、再生リストの送信要求（レコーダＩＤを含む。）がサーバ１２に送信される。
【００５２】
これに応じて、ステップＳ４３で、サーバ１２は、再生リストの送信要求を受信する。次のステップＳ４５では、サーバ１２は、プライバシレベルに応じて再生（参照）可能な音声メモを選別し、再生リストを生成する。具体的には、サーバ１２は、再生リストの送信要求に含まれるレコーダＩＤを検出し、検出したレコーダＩＤに基づいてユーザデータ１２２から人物ＩＤを特定し取得するとともに、当該人物ＩＤに対応して記述されたグループの種類を取得する。そして、サーバ１２は、音声プロファイルデータ１２０を参照して、特定した人物ＩＤが記述された音声メモ、つまりプライバシレベルが「個人」の音声メモ、当該人物ＩＤに対応して記述されたグループの種類がプライバシレベルの欄に記述された音声メモ、およびプライバシレベルの欄に「公開」が記述された音声メモを抽出し、再生リストを作成する。
【００５３】
再生リストの一例が図８に示される。この再生リストには、日時、人物、場所、ファイル名およびキーワードが記述される。日時、ファイル名およびキーワードは、音声プロファイルデータ１２０からそのまま抽出してある。ただし、人物は、人物ＩＤに対応して記述された音声メモの入力者の名称を示してある。また、場所は、場所ＩＤに対応して記述された実際の場所の名称を記述してある。実際の人物の名称および場所の名称を記載すれば、再生リストを見るユーザに分かり易く示すことができるためである。
【００５４】
このように再生リストが生成されると、続いて、サーバ１２は、ステップＳ４７で、再生リストを送信する。つまり、サーバ１２は、再生要求のあったボイスレコーダ１８に、再生リストのデータを送信する。
【００５５】
すると、ボイスレコーダ１８では、ステップＳ４９で、再生リストを受信する。つまり、ボイスレコーダ１８の無線装置５４が、再生リストのデータを受信する。図示は省略するが、再生リストのデータを受信すると、ボイスレコーダ１８では、ＣＰＵ３０が、メモリ３２に当該再生リストのデータを記録（展開）し、ＬＣＤドライバ３８を指示して、再生リストをＬＣＤ５２に表示する。再生リストがＬＣＤ５２に表示されると、ユーザは、カーソルボタン５６ｄを操作して、所望の音声メモを選択することができる。
【００５６】
続いて、ステップＳ５１では、ボイスレコーダ１８は、再生要求があるかどうかを判断する。つまり、ユーザが再生ボタン５６ｂを操作したかどうかを判断する。ステップＳ５１で“ＮＯ”であれば、つまり再生要求がなければ、同じステップＳ５１に戻る。一方、ステップＳ５１で“ＹＥＳ”であれば、つまり再生要求があれば、ステップＳ５３で、音声の再生要求をサーバ１２に送信する。つまり、ボイスレコーダ１８は、選択された音声メモの再生要求（レコーダＩＤと音声データのファイル名を含む。）をサーバ１２に送信する。
【００５７】
すると、サーバ１２は、ステップＳ５５で、ボイスレコーダ１８からの再生要求を受信し、ステップＳ５７で、再生する音声データを検索する。そして、ステップＳ５９で、再生する音声データを、再生要求に含まれるレコーダＩＤが示すボイスレコーダ１８に送信する。
【００５８】
ボイスレコーダ１８では、ステップＳ６１で、音声データを受信し、ステップＳ６３で、音声データを再生し、再生処理を終了する。具体的には、ボイスレコーダ１８のＣＰＵ３０は、無線装置５４およびＩ／Ｆ回路４２を介して与えられた音声データをメモリ３２に記憶した後、メモリ３２から読み出して（再生して）、Ｄ／Ａ変換器３６に与える。すると、音声データがアナログの音声信号に変換され、音声信号は、増幅された後、スピーカ５０から出力される。
【００５９】
このようにして、ユーザは、サーバ１２の内部メモリ１２ａに記録しておいた音声メモを再生することができる。ただし、ユーザは、自身が記録した音声メモのみならず、他のユーザが記録した音声メモであって、プライバシレベルが「公開」である音声メモやプライバシレベルが自身の所属する「グループ」である音声メモを再生することも可能である。
【００６０】
なお、この実施例では、ボイスレコーダ１８を用いて、音声メモを再生するようにしてあるが、ＰＤＡのような他の携帯端末或いはＰＣ等のコンピュータを用いて音声メモを再生することも可能である。かかる場合には、サーバ１２の内部メモリ１２ａに、携帯端末やコンピュータに備えられる通信装置のＭＡＣアドレスやＩＰアドレスを人物ＩＤに対応づけてユーザデータ１２２に記憶しておき、再生リストを選別したり、音声データを送信したりするときに参照する必要がある。したがって、各場所で適宜記録した音声メモを、ユーザ自身の権限で、たとえば、ＰＣを用いてＷｅｂ経由でＤＢ（データベース）を検索するような操作で、音声メモを探し出し、必要に応じて再生することができるのである。また、ユーザは、ＰＣを用いて、不要な音声メモを削除したり、音声メモを用途等に応じたフォルダに仕分けたり（整理したり）することができる。
【００６１】
また、図７では省略したが、プライバシ保護のため、実際には、ＩＤ（レコーダＩＤまたは人物ＩＤ）やパスワードによる認証（ユーザ認証）を実行するようにしてある。たとえば、サーバ１２は、再生リストを送信する前や再生する音声データを送信する前に、ＩＤとパスワードとを入力させる画面（認証画面）のデータをボイスレコーダ１８等に送信し、ユーザにＩＤとパスワードとを入力させる。サーバ１２は、ボイスレコーダ１８等からＩＤおよびパスワードが入力された認証画面のデータを受けると、ＩＤおよびパスワードを認証する。ただし、パスワードは、レコーダＩＤ（人物ＩＤ）に対応して、ユーザデータ１２２に記憶するようにすればよい。ユーザ認証がＯＫであれば（正しければ）、サーバ１２は、再生リストや再生する音声データをボイスレコーダ１８等に送信する。一方、ユーザ認証がＮＧであれば（正しくなければ）、サーバ１２は、再生リストや再生する音声データをボイスレコーダ１８等に送信しない。かかる場合には、サーバ１２は、エラーメッセージとともに、再度ＩＤおよびパスワードを入力されるために認証画面のデータをボイスレコーダ１８等に送信する。ただし、認証画面データの再送は、セキュリティの関係上、数回（たとえば、３〜５回）で実行されなくなる。
【００６２】
さらに、図７では省略したが、再生処理を開始したときに、ボイスレコーダ１８が無線圏外に存在する場合には、サーバ１２と通信することができないため、再生処理は実行されない。かかる場合には、たとえば、メッセージや音により、無線圏外であり、再生処理を実行することができない旨を、ユーザに報知するようにしてもよい。
【００６３】
この実施例によれば、音声メモを記録するときに、音声メモを記録した時間および記録した場所を対応づけて記憶しておき、再生リストを提示するときに、それらの情報を呈示するので、所望の音声メモを選択的に参照することができる。つまり、音声メモの価値を高めることができる。
【００６４】
また、この実施例によれば、音声メモにプライバシレベルを設定しておき、このプライバシレベルを参照して個別的に再生リストを作成するので、プライバシを侵害されることなく、音声メモを個人的に利用したり、一定の集団で共用したりすることができる。
【００６５】
なお、この実施例では、システムを或る建物内に設置し、建物内における位置情報を取得するようにしたが、たとえば、ボイスレコーダにＧＰＳ機能を備えるようにすれば、屋外であっても位置情報を取得することができる。
【００６６】
また、この実施例では、音声メモを音声認識して、キーワードを抽出するようにしてある。したがって、たとえば、音声メモが他人へのメッセージや伝言である場合には、音声メモを電子メールで送信したり、音声メモを参照すべきことを電子メールで送信したりすることもできる。かかる場合には、サーバ１２がメールサーバとして機能してもよく、サーバ１２と通信可能なメールサーバを別途設けるようにしてもよい。ただし、電子メールのアドレスをユーザデータ１２２等に予め登録しておく必要がある。
【図面の簡単な説明】
【００６７】
【図１】図１はこの発明の音声メモシステムの一例を示す図解図である。
【図２】図２は図１に示すサーバのメモリに記憶される音声プロファイルデータ、ユーザデータおよび場所データの例を示す図解図である。
【図３】図３は図１に示すボイスレコーダの電気的な構成を示すブロック図である。
【図４】図４は図１に示すボイスレコーダの録音処理の一部を示すフロー図である。
【図５】図５は図４に後続するボイスレコーダの録音処理の他の一部を示すフロー図である。
【図６】図６は図１に示すサーバのデータ保存処理を示すフロー図である。
【図７】図７は図１に示すボイスレコーダ等とサーバとによって実行される再生処理を示すフロー図である。
【図８】図８は図７に示す再生処理においてサーバで生成され、ボイスレコーダ等で表示される再生リストの例を示す図解図である。
【符号の説明】
【００６８】
１０  …音声メモシステム
１２  …サーバ
１６  …アクセスポイント
１８  …ボイスレコーダ
３０  …ＣＰＵ
３２  …メモリ
３８  …マイク
４４  …スピーカ
４８  …ＬＣＤ
５０  …時計回路
５４  …無線装置
５６  …操作パネル
【図１】
2006211562.tif 000003
【図２】
2006211562.tif 000004
【図３】
2006211562.tif 000005
【図４】
2006211562.tif 000006
【図５】
2006211562.tif 000007
【図６】
2006211562.tif 000008
【図７】
2006211562.tif 000009
【図８】
2006211562.tif 000010